(57)【要約】【課題】ねじロック機能が低下した場合に竜頭周りの部品交換が可能な携帯時計を提供する。【解決手段】胴１３に取付けられた巻真パイプ２１に、このパイプに内蔵されたコイルばね（付勢体）４３で胴１３から離れる方向に付勢された竜頭３５が、ねじロックされる携帯時計１１を前提とする。巻真パイプ２１は、胴１３のパイプ取付け孔１７に挿入されてろう材２７を用いて液密に固定された巻真パイプ本体２２と、この本体の胴外突出部２５に回り止めして取外し可能に被嵌されるとともに外周に竜頭３５が取外し可能に螺合される雄ねじ部２８を設けたリング２３とを有する。リング２３と胴外突出部２５の保持部２５aとの間にリング保持部材３１を挟設する。リング保持部材３１は、胴外突出部２５の外周にリング２３を保持するとともに、この保持状態を解除するに十分な外力がリング２３に加えられた際に前記保持を解除する。【選択図】      図２
2006194833.tif 000002
【特許請求の範囲】
【請求項１】
パイプ取付け孔を有する胴と；
この胴の外部に配置されるとともに保持部及び回り止め部が形成された胴外突出部を有して、前記パイプ取付け孔に挿入され前記胴に液密に固定された巻真パイプと；
外周に形成された雄ねじ部及び前記回り止め部に嵌合される回り止め孔を有して、前記胴外突出部に着脱可能に被嵌されたリングと；
前記雄ねじ部に取外し可能に螺合された竜頭と；
前記巻真パイプに内蔵され前記竜頭を前記胴から離れる方向に付勢する付勢体と；
前記保持部と前記リングとの間に挟設されて前記リングを保持するとともに、この保持状態を解除するに十分な外力が前記リングに加えられた際に前記保持を解除可能なリング保持部材と；
を具備した携帯時計。
【請求項２】
前記リング保持部材を、弾性材料として、前記保持部と前記リングとの間に圧縮状態に挟設した請求項１に記載の携帯時計。
【請求項３】
前記リング保持部材の前記胴から遠い方の縁に前記付勢体の付勢方向と反対側から係合する段部を、前記胴外突出部に設けた請求項１又は２に記載の携帯時計。
【請求項４】
前記リングの内周に前記リング保持部材の外周部に嵌合する嵌合溝を設け、前記回り止め部に対する前記回り止め孔の嵌め込み深さを、前記胴外突出部の軸方向に関して前記段部と同じ位置に配置される前記嵌合溝の前記胴から遠い方の縁と前記胴との間の距離より大きくした請求項３に記載の携帯時計。
【請求項５】
前記リングの前記胴に近い方の端部に係合部を設け、この係合部を、前記リング保持部材の前記胴に近い方の縁に引掛けた請求項１から４の内のいずれか一項に記載の携帯時計。
【請求項６】
前記リング保持部材を、前記保持部とリングとの間に挟まれるリング状部と、前記竜頭の胴に近い方の端部と前記胴との間に挟まれるフランジ部とで形成した請求項２から４の内のいずれか一項に記載の携帯時計。
【発明の詳細な説明】
【技術分野】
【０００１】
本発明は、竜頭が不用意に回転されないように保持する構造を備えた携帯時計に関する。
【背景技術】
【０００２】
携帯時計の中には、その携帯時に竜頭が不用意に回転されないように、ねじの噛合いを利用して竜頭をロックする構造（この構造を本明細書ではねじロックと称する。）を採用したものがある。
【０００３】
ねじロック構造は、時計ムーブメントが内蔵された胴に巻真パイプを取付け、このパイプの胴外突出部の外周に形成された雄ねじ部に、胴外突出部に被嵌する竜頭主部の雌ねじ部を螺合する構造である。これにより、通常時には、竜頭主部を胴外突出部の外周に螺合して竜頭をロックできる。又、時計ムーブメントを操作する時には、雄ねじ部に対する竜頭主部の螺合を外してから、竜頭を引き動かした状態で巻真パイプの内側に配置されている巻真を回転操作することができる。
【０００４】
このようなねじロック構造を備えた従来の携帯時計では、一般に、胴に対して巻真パイプをろう付けすることにより、巻真パイプ取付け部の防水を図っている（例えば特許文献１参照。）。
【０００５】
この他に、竜頭が螺合される雄ねじ部とは別の雄ねじ部を巻真パイプに設けて、この別の雄ねじ部を胴のパイプ取付け孔にねじ込むとともに、このねじ込みに伴い胴と巻真パイプとの間に防水パッキンを挟み込んで、巻真パイプ取付け部の防水を図った携帯時計も知られている（例えば特許文献２参照。）。
【特許文献１】特開昭57−46181号公報（第１頁右欄第８行−第２頁左欄第７行、第１図−第２図）
【特許文献２】特開2004−245594号公報（段落0016−0025、図１−図２）
【発明の開示】
【発明が解決しようとする課題】
【０００６】
ねじロック構造を備える携帯時計では、竜頭が繰返し回転操作されるに伴い、互いに螺合する竜頭の雌ねじ部と巻真パイプの雄ねじ部とが摩耗したり、削れたりすることがある。それにより、ねじロックの機能が低下する。
【０００７】
このような事態に至った場合、胴に巻真パイプがろう付けされている特許文献１の携帯時計では、巻真パイプの胴からの取外しを伴う竜頭回りの部品交換ができない。このため、胴を含めた時計外装組立の交換を余儀なくされており、その改善が求められている。
【０００８】
胴に巻真パイプをねじ込んだ時計では、原理的には巻真パイプを含めた竜頭周りの部品交換が可能であると考えられている。しかし、この構成でも、竜頭を巻真パイプに螺合させたり、この螺合を外したりするたびに、巻真パイプには回転力が作用する。それに伴って胴に対する巻真パイプのねじ込みが緩んで、防水パッキンによる防水性が低下するおそれがある。
【０００９】
この対策として、巻真パイプと胴との螺合部に接着剤を充填することがある。このように接着止めされる場合には、巻真パイプを胴から取外すことが困難となり、実際上は竜頭回りの部品交換ができなくなる。それにより、ねじロック機能が低下した場合に、胴を含めた時計外装組立の交換を余儀なくされるので、その改善が求められている。
【００１０】
本発明の目的は、ねじロック機能が低下した場合に竜頭周りの部品交換を可能とした携帯時計を提供することにある。
【課題を解決するための手段】
【００１１】
前記課題を解決するために、本発明は、パイプ取付け孔を有する胴と；この胴の外部に配置されるとともに保持部及び回り止め部が形成された胴外突出部を有して、前記パイプ取付け孔に挿入され前記胴に液密に固定された巻真パイプと；外周に形成された雄ねじ部及び前記回り止め部に嵌合される回り止め孔を有して、前記胴外突出部に着脱可能に被嵌されたリングと；前記雄ねじ部に取外し可能に螺合された竜頭と；前記巻真パイプに内蔵され前記竜頭を前記胴から離れる方向に付勢する付勢体と；前記保持部と前記リングとの間に挟設されて前記リングを保持するとともに、この保持状態を解除するに十分な外力が前記リングに加えられた際に前記保持を解除可能なリング保持部材と；を具備している。
【００１２】
本発明では、巻真パイプ本体は胴に対して液密にかつ分離できないように固定されている。そして、竜頭が着脱可能に螺合し、その螺合により竜頭をねじロックするリングは、付勢体の付勢力に抗してリングを巻真パイプ本体の胴外突出部に保持するリング保持部材に対するリングの保持状態を、人為的に解除することにより、リングを胴外突出部に対して取外し可能である。このため、ねじロック機能を発揮させたり解除したりする竜頭の回転操作に伴ってねじロック機能が低下した場合には、巻真パイプ本体を胴に液密に固定されたままにして、竜頭及びリングの内少なくともリングを単独に交換可能である。
【００１３】
本発明の好ましい形態では、リング保持部材を、弾性材料として、保持部とリングとの間に圧縮状態に挟設している。この好ましい形態では、リング保持部材に対するリングの着脱を、リング保持部材の弾性変形を利用して容易にできるとともに、携帯時計の通常使用時には、リング保持部材の弾性反発力によって付勢体の付勢力に抗してリングを確実に保持できる。
【００１４】
又、本発明の好ましい形態では、リング保持部材の胴から遠い方の縁に付勢体の付勢方向と反対側から係合する段部を、胴外突出部に設けている。この好ましい形態では、段部へのリング保持部材の引っ掛かりによって、付勢体の付勢力に抗してリングを確実に保持できる。
【００１５】
又、本発明の好ましい形態では、リングの内周にリング保持部材の外周部に嵌合する嵌合溝を設け、回り止め部に対する回り止め孔の嵌め込み深さを、胴外突出部の軸方向に関して段部と同じ位置に配置される嵌合溝の胴から遠い方の縁と胴との間の距離より大きくしている。この好ましい形態では、胴外突出部にリングを嵌めて取付ける際、予め保持部の外周に取付けられたリング保持部材の外周部にリングの嵌合溝が適正に嵌合される前に、保持部と回り止め部との境をなす段部にリングの回り止め孔の縁が当たることがない。このため、リング保持部材をリングと保持部との間に適正に挟着させることができるとともに、リングの嵌合溝がリング保持部材の外周部に適正に嵌合されることによって、付勢体の付勢力に抗してリングを確実に保持できる。
【００１６】
又、本発明の好ましい形態では、リングの胴に近い方の端部に係合部を設け、この係合部を、リング保持部材の胴に近い方の縁に引掛けている。この好ましい形態では、リング保持部材の胴に近い方の縁への係合部の引っ掛かりによって、付勢体の付勢力に抗してリングを確実に保持できる。
【００１７】
又、本発明の好ましい形態では、リング保持部材を、保持部とリングとの間に挟まれるリング状部と、竜頭の胴に近い方の端部と胴との間に挟まれるフランジ部とで形成している。この好ましい形態では、竜頭をねじロックするための締め込み操作に伴って、この竜頭の胴に近い方の端部が胴の外面に食いつくことをフランジ部で防止できるので、ねじロックを解除するのに竜頭を回わし始める時に、過大な回転操作力を要することがなくなり、操作感を改善できる。
【発明の効果】
【００１８】
本発明によれば、ねじロック機能が低下した場合に竜頭周りの部品交換を可能とした携帯時計を提供できる。
【発明を実施するための最良の形態】
【００１９】
本発明の第１実施形態を図１〜図６を参照して説明する。
【００２０】
図１中符号１１は竜頭をねじロックできる機能を備えた携帯時計として例えば腕時計を示している。腕時計１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００２１】
時計外装組立１２は、環状をなす金属製の胴１３の厚み方向一面に、カバーガラス１４を液密に装着するとともに、胴１３の厚み方向裏面に、金属等からなる裏蓋１５（図２及び図３参照）を液密に装着して形成されている。カバーガラス１４を通して文字板１６などを透視可能であり、裏蓋１５は取外し可能である。
【００２２】
図２〜図４に示すように胴１３の一部には、この胴１３を径方向に貫通するパイプ取付け孔１７が設けられている。パイプ取付け孔１７の一端は、胴内、つまり時計外装組立１２の内部に開口され、パイプ取付け孔１７の他端は、胴外、つまり時計外装組立１２の外部に開口されている。胴１３の胴外面１３ａには環形溝１８が形成されている。この環形溝１８は、パイプ取付け孔１７より大径で、この孔１７の胴外側開口に連通し、かつ、この開口と同心的に設けられている。
【００２３】
胴１３にはパイプ取付け孔１７に胴外側から挿入された巻真パイプ２１が液密に固定されている。図５等に示すように巻真パイプ２１は、巻真パイプ本体２２と、これに着脱可能に被嵌されたリング２３とから形成されている。ダミー部材として機能するリング２３の被嵌状態は後述のリング保持部材３１によって保持されている。
【００２４】
詳しくは、巻真パイプ本体２２は、金属製であり、例えばステンレス鋼を好適に使用できる。図６等に示すように巻真パイプ本体２２は、一端側の挿入部２４と他端側の胴外突出部２５とを有している。挿入部２４はパイプ取付け孔１７に胴外側から例えば圧入気味に挿入される部分である。胴外突出部２５は、胴１３の外部に配置される部分であって、保持部２５ａ及び回り止め部２５ｂを有している。保持部２５ａ及び回り止め部２５ｂの外径は挿入部２４の外径及び環形溝１８の直径よりも大きい。
【００２５】
挿入部２４にこれとの間に段差をなして一体に連なった保持部２５ａの外周には、嵌合溝２６が形成されている。嵌合溝２６は挿入部２４の周方向に連続して設けられ、その挿入部２４から遠ざかった縁、言い換えれば、巻真パイプ本体２２が後述のように胴１３に取付けられた状態で胴外面１３ａから遠ざかった方の縁によって、段部２６ａ（図４参照）が形成されている。この段部２６ａは挿入部２４の周方向に連続している。
【００２６】
回り止め部２５ｂは、保持部２５ａを基準に挿入部２４と反対側に位置して保持部２５ａに一体に連続している。回り止め部２５ｂの外周は、非円形例えば角形具体的には図５及び図６に示すように正八角形に形成されている。この回り止め部２５ｂの各角を通って描くことができる回り止め部２５ｂの外径は、保持部２５ａの外径より小さい。
【００２７】
リング２３は、金属製であり、例えばステンレス鋼を好適に使用できる。リング２３は、図６等に示すように雄ねじ部２８と、回り止め孔２９とを有している。このリング２３は胴外突出部２５とほぼ同じ長さであって、その外周にねじロックのための雄ねじ部２８が形成されている。リング２３の一端部に位置して設けられた回り止め孔２９は、回り止め部２５ｂの形状に対応する非円形の孔、例えば正八角形の角孔からなる。図４などに示すようにリング２３の内周には、回り止め孔２９から外れて前記嵌合溝２６に対応する位置に嵌合溝３０が形成されている。回り止め孔２９は回り止め部２５ｂの外周に嵌合され、この嵌合により竜頭操作の際に胴外突出部２５に対するリング２３の周方向の回り止めがなされる。以上のように非円形で互いに嵌合する回り止め部２５ｂ及び回り止め孔２９はリング２３の回り止め手段をなしているが、これに制約されず回り止め手段は、例えばパイプの軸方向に延びる１以上のキー及びこれに摺動可能に嵌合するキー溝を含んで構成することも、或いはセレーションを用いた嵌合等により構成することも可能である。
【００２８】
リング２３は係合部２３ａを有している。係合部２３ａは、巻真パイプ２１が胴１３に取付けられた状態で、リング２３の胴１３に近い方の端部、つまり、胴外面１３ａに接触または近接する端部で形成されている。この係合部２３ａは嵌合溝３０の胴に近い側の縁を形成している。そして、係合部２３ａの内周は図４に示すように胴外面１３ａに近づくに従い孔径を大きくするテーパーを設けることが好ましい。
【００２９】
リング保持部材３１は、変形が可能な材料、好ましくは弾性変形ができる弾性材料、例えば弾性を有するプラスチックス製で、リング状に形成されている。ここにリング状とは、図６に例示したリング形、又は、周方向の一部に非連続とする切り離し部を有しているが概ねリング形状とみなし得る形状を含んでいる。リング保持部材３１の幅は嵌合溝２６，３０の幅と同じであるが、リング保持部材３１の厚みは嵌合溝２６，３０の深さより大きい。このリング保持部材３１は嵌合溝２６に嵌め込んで胴外突出部２５の外周に取付けられている。
【００３０】
リング保持部材３１は、圧縮状態にして保持部２５ａとリング２３との間に挟設されているとともに、嵌合溝２６，３０に嵌合されている。それによるリング保持部材３１の保持部２５ａとリング２３への摩擦力で、リング２３が胴外突出部２５に保持されている。しかも、巻真パイプ２１が胴１３に取付けられた状態で、リング保持部材３１の胴１３から遠い方の縁は段部２６ａに引っ掛っているとともに、リング保持部材３１の胴１３に近い方の縁は係合部２３ａに引っ掛っている。それにより、リング保持部材３１及びリング２３が胴１３から離れる方向に胴外突出部２５の軸方向に沿って外れることが更に防止されている。
【００３１】
胴１３に固定された巻真パイプ本体２２の胴外突出部２５へのリング２３の取付けは次の手順で実施できる。まず、胴外突出部２５の嵌合溝２６にリング保持部材３１を嵌合する。次に、リング２３の回り止め孔２９と回り止め部２５ｂの多角形状を合わせながら、このリング２３を胴外突出部２５に嵌合させる。これにより、リング保持部材３１が圧縮状態に弾性変形されて、リング２３と胴外突出部２５の保持部２５ａとの間に挟設されるとともに、回り止め孔２９が回り止め部２５ｂに嵌合される。この場合、リング２３の外周部を弾性変形させながらリング２３の幅方向に通過する係合部２３ａが、リング２３を通過すると同時に、リング２３の外周部にリング２３の嵌合溝３０が嵌合され、しかも、係合部２３ａが、リング保持部材３１の胴１３に近い方の縁に引っ掛かるとともに、胴外面１３ａに接触又は近接する。
【００３２】
この場合、図４に示すように回り止め部２５ｂに対する回り止め孔２９の嵌め込み深さＡは、胴外突出部２５の軸方向に関して段部２６ａと同じ位置に配置される嵌合溝３０の胴外面１３ａから遠い方の縁と胴外面１３ａとの間の距離Ｂより大きく設定されている。これにより、既述のように胴外突出部２５にリング２３を嵌めて取付ける際、保持部２５ａの外周に取付けられたリング保持部材３１の外周部にリング２３の嵌合溝３０が適正に嵌合される前に、保持部２５ａと回り止め部２５ｂとの境をなす段２５ｃにリング２３の回り止め孔２９の縁が当たることがない。このため、リング保持部材３１をリング２３と保持部２５ａとの間に適正に挟着させることができるとともに、リング２３の嵌合溝３０がリング保持部材３１の外周部に適正に嵌合されることによって、後述するコイルばね４３の付勢力に抗してリング２３を胴外突出部２５の外面に確実に保持できる。
【００３３】
前記構成の巻真パイプ２１は、その巻真パイプ本体２２の胴外突出部２５が胴外面１３ａに当たるまでパイプ取付け孔１７に挿入されて、環形溝１８に充填された金属製ろう材２７（図２〜図４参照）によって胴１３に対して分離できないように固定されている。この固定を担うろう材２７は、胴１３と巻真パイプ本体２２との間の防水を担う液密保持用の部材としても機能している。なお、挿入部２４は、本実施形態ではパイプ取付け孔１７を貫通しない長さであるが、パイプ取付け孔１７を貫通する長さとしてもよい。なお、前記ろう付けに代えて、前記液密的固定を、胴１３と巻真パイプ本体２２との間にゴム製防水パッキンを挟んでパイプ取付け孔１７に挿入部２４をねじ込むとともに、パイプ取付け孔１７と挿入部２４とを接着剤により接着して行ってもよい。
【００３４】
図１〜図４中符号３５で示す竜頭は、金属製であって、竜頭主部３６と、この中央部から裏側に一体に突出する竜頭筒部３７とを有している。
【００３５】
竜頭主部３６には、竜頭筒部３７の根元側部分を囲む環状溝３８が設けられている。竜頭筒部３７はその軸方向に進退可能となるように挿入部２４の内側に挿入されている。この竜頭筒部３７の外周に形成された環状のパッキン取付け溝には、環形をなしたゴム製の防水パッキン３９が取付けられている。防水パッキン３９は、巻真パイプ２１の内周と竜頭筒部３７の外周との間に圧縮状態に弾性変形して挟まれ、これらの間の防水を担っている。
【００３６】
環状溝３８はリング２３が取付けられた胴外突出部２５が収容される部分であって、この環状溝３８にはねじロックのための雌ねじ部４０が形成されている。雌ねじ部４０は、リング２３の雄ねじ部２８に取外し可能に螺合される。この場合、竜頭３５の竜頭主部３６に指をかけて、竜頭３５を締め付け方向に回転させることで、雌ねじ部４０の雄ねじ部２８への噛み合い（螺合）を深くすることができ、この逆に竜頭３５を弛める方向に回転させることで、前記噛み合いを外すことができる。そして、竜頭３５を回転させて締め付けることによって、図２に示すように竜頭主部３６が胴１３の胴外面１３ａに密接して、腕時計１１の携帯時に竜頭３５が不用意に回転されないようにねじロックする機能が発揮される。
【００３７】
図２及び図３に示すように竜頭筒部３７内には、時計ムーブメントの巻真４１が胴１３の内部から外部に向けて挿入されているとともに、この巻真４１を支えとしてばね受け４２を介して竜頭３５を胴１３の外部に向けて付勢する付勢体例えばコイルばね４３が収容されている。時計ムーブメントは、雄ねじ部２８に対する雌ねじ部４０の噛み合いを外した状態、言い換えれば、ねじロックが解除された状態（図３参照）で、竜頭３５の回転操作に連動して回転される。これにより、時刻合わせ等が行われる。
【００３８】
竜頭操作後に竜頭３５を胴外突出部２５に取付けてねじロックするには、その竜頭筒部３７に巻真４１が接続された状態のままで胴１３の外部から巻真パイプ２１内に押し込みながら、竜頭主部３６の雌ねじ部４０をリング２３の雄ねじ部２８に螺合し締付けて行われる。竜頭３５が雄ねじ部２８に最も深くねじ込まれた状態で、竜頭主部３６は、その端面を図２に示されるように胴１３の胴外面１３ａに当接されるとともに、リング２３及びこれが取付けられた胴外突出部２５を覆い隠す。
【００３９】
この取付け完了状態では以下のように高圧防水機能を発揮しかつ維持できる。すなわち、巻真パイプ２１と胴１３との間の防水は、これらを固定したろう材２７により確保でき、巻真パイプ２１とこの内側に挿入された竜頭筒部３７との間の防水は、これらの間に圧縮状態に弾性変形して挟まれた防水パッキン３９により確保できる。
【００４０】
携帯時計１１の携帯中は、竜頭３５がねじロックされているので、不用意に竜頭３５が回されて、時刻表示などが変化することを防止できる。時刻合わせ等を行う場合には、ねじロックをする場合と逆方向に竜頭３５を回転させて、リング２３の雄ねじ部２８に対する竜頭主部３６の噛み合いを外して、竜頭３５をコイルばね４３のばね力に抗して引出した状態で行うことができる。
【００４１】
竜頭３５の回転操作に伴ってねじ部が損傷し、或いは摩耗する等により竜頭３５のねじロック機能が低下した場合には、以下のように部品交換で対処できる。
【００４２】
すなわち、まず、胴１３から竜頭３５を取外した後に、胴外面１３ａとこれに接触ないしは近接しているリング２３の端面との間に工具の先端を差し込んで、胴外面１３ａから離れるようにリング２３に、このリング２３を外すに必要十分なこじり力を与えて、巻真パイプ２１の胴外突出部２５の外周からリング２３を外す。
【００４３】
この取外しは、胴１３に巻真パイプ本体２２をろう付けにより固定した状態を保持したままでなされる。この場合、前記こじり力により、リング２３の内面に対するリング保持部材３１の密接を容易に解除できるとともに、リング保持部材３１に対するリング２３の係合部２３ａを外すことは、引掛かり代が小さいことにより容易であり、かつ、係合部２３ａはリング保持部材３１の主として外周部を弾性変形させながらこのリング保持部材３１を通過できるので、多くの労力を要することなく、リング２３を外すことができる。
【００４４】
次に、巻真パイプ本体２２の胴外突出部２５に対して新たに用意されたリングを取付け、更に、このリングに竜頭３５を螺合して取付けることが可能である。この場合、必要に応じて竜頭３５及びリング保持部材３１も交換可能である。
【００４５】
以上のようにねじロック機能の低下に対して、胴１３に巻真パイプ本体２２をろう付けにより固定した状態を保持したままで、新たなリング及び竜頭などの内少なくともリングを単独に交換可能である。したがって、ねじロック機能の低下に対する修理において、胴１３と巻真パイプ２１との間の防水性能が損なわれることがないので、初期品質を長期にわたり維持できるとともに、修理依頼者にとっては、胴１３を含めた時計外装組立１２全体を交換する必要がなく、部品交換で対応できるので、費用負担を軽減できる。
【００４６】
なお、ねじロック機能の低下に対する修理において、交換部品としてのリング２３の形状が共通で、その雄ねじ部２８の径、ピッチ、及びねじ山の数などが異なる複数種の交換用の新たなリング２３を用意するとともに、これらの雄ねじ部２８に個別に対応する雌ねじ部を有した竜頭３５を複数種用意して置くとよい。この場合には、使用により損傷して廃棄されるリング２３及び竜頭３５と同じものに交換することに制約されずに、前記複数種の中から任意に選択された同種の新たなリング２３及び竜頭３５と交換することが可能である。これにより、交換部品を長期にわたり保管して置く必要がなくなるので、製造者側にとっての部品管理が容易となる。
【００４７】
又、胴外突出部２５に回り止めされたリング２３はリング保持部材３１を覆っている。このため、仮に使用者が竜頭３５を外した場合に、リング２３を胴外突出部２５の軸方向に外れ止めするための構成が視認されることがなく、体裁がよい点で好ましい。
【００４８】
図７及び図８は本発明の第２実施形態を示している。第２実施形態は基本的には第１実施形態と同じであるので、第１実施形態と同じ構成には第１実施形態と同じ符号を付して説明を省略し、以下、第１実施形態とは異なる事項を説明する。
【００４９】
第２実施形態では、第１実施形態で採用した保持部２５ａの嵌合溝と、リング２３の嵌合溝及び係合部は省略されている。そして、リング保持部材３１を、リング状部３１ａと、このリング状部３１ａの端から外側に一体に張り出したフランジ部３１ｂとで形成している。リング状部３１ａは、保持部２５ａとリング２３との間に弾性変形して圧縮状態に挟まれる部位である。フランジ部３１ｂは、竜頭３５を最も深くねじ込んだ際にこの竜頭３５の胴１３に近い方の端部と胴１３の胴外面１３ａとの間に挟まれる部位である。このリング保持部材３１を構成する材料は、そのフランジ部３１ｂへの竜頭３５の端面の摩擦抵抗が、胴外面１３ａに竜頭３５の端面が接触した場合の摩擦抵抗よりも小さい材料、言い換えれば、胴１３をなす金属より滑り性がよいプラスチックス（合成樹脂）を採用することが望ましい。以上説明した事項以外は、図示されない事項を含めて第１実施形態と同じである。
【００５０】
したがって、第２実施形態は、第１実施形態と同様な作用を得て本発明の課題を解決できる。しかも、リング保持部材３１が竜頭３５と胴外面１３ａとの間に挟まれるフランジ部３１ｂを有しているので、竜頭３５をねじロックするための竜頭３５の締め込み操作が強く行われた場合にも、フランジ部３１ｂが竜頭３５と胴外面１３ａとの間に介在して、金属製の竜頭３５の端部が金属製の胴外面１３ａに強く当たって食いつくことが防止される。このため、時刻合わせなどのためにねじロックを解除するに際して、竜頭３５を回わし始めるときに過大な回転操作力を要することがなくなり、操作感を改善できる。
【００５１】
図９から図１１は本発明の第３実施形態を示している。第３実施形態は基本的には第１実施形態と同じであるので、第１実施形態と同じ構成には第１実施形態と同じ符号を付して説明を省略し、以下、第１実施形態とは異なる事項を説明する。
【００５２】
第３実施形態では、図１１に示すようにリング保持部材３１は、周方向の一部に非連続とする切り離し部３１ｃを有して概ねリング形状とみなし得る形状をなして、弾性を有する金属部材例えばばね鋼で作られている。
【００５３】
このリング保持部材３１は、切り離し部３１ｃによってその径を広げる弾性変形が容易であるので、胴外突出部２５の嵌合溝２６に容易に取付けることができる。しかも、胴外突出部２５にリング２３が被嵌される際に、リング保持部材３１は切り離し部３１ｃによって、嵌合溝２６との嵌め合い隙間の範囲で縮径方向に弾性変形する。これにより、係合部２３ａを比較的容易にリング保持部材３１の外周を横切らせて、リング保持部材３１の胴１３に近い方の縁に引っ掛けることができる。又、同様に、リング２３をこじって胴外突出部２５から外す場合にも、リング保持部材３１が縮径方向に弾性変形するので、既設のリング２３を交換のために容易に外すこともできる。又、リング保持部材３１は金属製であり、その胴１３寄りの縁にリング２３の係合部２３ａが引っ掛かることによって、コイルばね４３の付勢力に対して確実に抵抗できるので、胴外突出部２５からリング２３が軸方向に外れることを防止する信頼性を高めることができる。
【００５４】
以上説明した事項以外は、図示されない事項を含めて第１実施形態と同じであるから、この第３実施形態は、第１実施形態と同様な作用を得て本発明の課題を解決できる。
【００５５】
図１２及び図１３は本発明の第４実施形態を示している。第４実施形態は基本的には第１実施形態と同じであるので、第１実施形態と同じ構成には第１実施形態と同じ符号を付して説明を省略し、以下、第１実施形態とは異なる事項を説明する。
【００５６】
第４実施形態では、リング状のリング保持部材３１が例えば粘土のように外力に応じて塑性変形ができる柔らかな金属で作られている。リング保持部材３１は胴外突出部２５の嵌合溝２６に嵌合されており、その厚みは嵌合溝２６の深さより大きい。
【００５７】
このリング保持部材３１は、胴外突出部２５にリング２３が被嵌されるに伴って、嵌合溝２６との嵌め合い隙間に密に充填されるように塑性変形される。これとともに、リング２３の係合部２３ａを比較的容易にリング保持部材３１の外周に横切らせて、リング保持部材３１の胴１３に近い方の縁に引っ掛けることができる。又、同様に、リング２３をこじって胴外突出部２５から外す場合にも、係合部２３ａの移動に応じてリング保持部材３１が塑性変形するので、既設のリング２３を交換のために容易に外すこともできる。又、リング保持部材３１は、金属製であり、その胴１３寄りの縁にリング２３の係合部２３ａが引っ掛かることによって、コイルばね４３の付勢力に対して抵抗できる。これにより、胴外突出部２５からリング２３が軸方向に外れることを防止する信頼性を高めることができる。
【００５８】
以上説明した事項以外は、図示されない事項を含めて第１実施形態と同じであるから、この第４実施形態は、第１実施形態と同様な作用を得て本発明の課題を解決できる。
【００５９】
本発明は前記各実施形態には制約されるものではなく、例えば高圧防水性能を要求されない通常の腕時計、懐中時計、又はネックレス型の提げ時計などの携帯時計にも適用可能である。
【図面の簡単な説明】
【００６０】
【図１】本発明の第１実施形態に係る腕時計を示す正面図。
【図２】竜頭がねじロックされた状態で図１中Ｚ−Ｚ線に沿って示す断面図。
【図３】竜頭のねじロックが解除された状態で図１中Ｚ−Ｚ線に沿って示す断面図。
【図４】第１実施形態に係る腕時計の竜頭のねじロック状態を拡大して示す断面図。
【図５】第１実施形態に係る腕時計が備える巻真パイプを示す斜視図。
【図６】図５の巻真パイプを分解して示す斜視図。
【図７】本発明の第２実施形態に係る腕時計が備える巻真パイプを分解して示す斜視図。
【図８】第２実施形態に係る腕時計を竜頭がねじロックされた状態で示す竜頭周りの断面図。
【図９】本発明の第３実施形態に係る腕時計を竜頭がねじロックされた状態で示す竜頭周りの断面図。
【図１０】第３実施形態に係る腕時計を竜頭のねじロックが解除された状態で示す竜頭周りの断面図。
【図１１】第３実施形態に係る腕時計が備える巻真パイプを分解して示す斜視図。
【図１２】本発明の第４実施形態に係る腕時計の巻真パイプ周りを示す断面図。
【図１３】図１２の巻真パイプ周りを巻真パイプ本体からリングを分離した状態で示す断面図。
【符号の説明】
【００６１】
１１…腕時計（携帯時計）
１２…時計外装組立
１３…胴
１３ａ…胴の胴外面
１７…パイプ取付け孔
２１…巻真パイプ
２２…巻真パイプ本体
２３…リング
２３ａ…係合部
２４…挿入部
２５…胴外突出部
２５ａ…保持部
２５ｂ…回り止め部
２５ｃ…段
２６…嵌合溝
２６ａ…段部
２７…ろう材
２８…雄ねじ部
２９…回り止め孔
３１…保持部材
３１ａ…リング状部
３１ｂ…フランジ部
３５…竜頭
３６…竜頭主部
３７…竜頭筒部
４０…雌ねじ部
４３…コイルばね
【図１】
2006194833.tif 000003
【図２】
2006194833.tif 000004
【図３】
2006194833.tif 000005
【図４】
2006194833.tif 000006
【図５】
2006194833.tif 000007
【図６】
2006194833.tif 000008
【図７】
2006194833.tif 000009
【図８】
2006194833.tif 000010
【図９】
2006194833.tif 000011
【図１０】
2006194833.tif 000012
【図１１】
2006194833.tif 000013
【図１２】
2006194833.tif 000014
【図１３】
2006194833.tif 000015